(57)【要約】【課題】  マグネットロールのスリーブ部分を確実に保護することができ、且つマグネットロールを簡単に出し入れすることが可能なマグネットロール収容容器を提供する。【解決手段】  樹脂材料からなる板材の成形品として構成され、スリーブ２及びその両端に突出するシャフト４及びシャフト部７ａを有するマグネットロール１を収容するマグネットロール収容容器１０である。シャフト４やシャフト部７ａを保持するシャフト保持部１３，１４を有し、シャフト４及びシャフト部７ａの少なくとも先端部分及びスリーブ２が中空状態で保持される。【選択図】  図２
2007269345.tif 000002
【特許請求の範囲】
【請求項１】
樹脂材料からなる板材の成形品として構成され、スリーブ及びその両端に突出するシャフトを有するマグネットロールを収容するマグネットロール収容容器であって、
前記シャフトを保持するシャフト保持部を有し、前記シャフトの少なくとも先端部分及びスリーブが中空状態で保持されることを特徴とするマグネットロール収容容器。
【請求項２】
前記シャフト保持部は、前記スリーブが中空状態で収容されるスリーブ収容部と前記シャフトが中空状態で収容されるシャフト収容部とを隔てる隔壁として形成され、前記シャフトの外径に対応する寸法を有する凹部が形成されていることを特徴とする請求項１記載のマグネットロール収容容器。
【請求項３】
前記スリーブが収容されるスリーブ収容部は、マグネットロール毎に仕切り部により仕切られていることを特徴とする請求項２記載のマグネットロール収容容器。
【請求項４】
マグネットロールの中心軸方向に平行な一方の外周面から当該外周面側のスリーブ収容部までの距離と、他方の外周面から当該外周面側のスリーブ収容部までの距離は、スリーブ収容部のピッチの略１／２に相当する距離の差を有することを特徴とする請求項３記載のマグネットロール収容容器。
【請求項５】
各スリーブ収容部の底面には、マグネットロールの中心線を挟んで両側に前記中心線に沿う形で長尺状のリブが底面側に向かって突出形成されていることを特徴とする請求項４記載のマグネットロール収容容器。
【請求項６】
外周面に高さの異なる段差面が隣接して形成されており、対向する２つの外周面において、前記段差面の配置が同じであることを特徴とする請求項１から５のいずれか１項記載のマグネットロール収容容器。
【請求項７】
樹脂材料からなる板材の成形品として構成されたマグネットロール収容容器が複数積み重ねられてなるマグネットロール収容容器の多段重ね構造体であって、
同一形状のマグネットロール収容容器が面内方向において交互に１８０°反転して積み重ねられ、
少なくとも下段のマグネットロール収容容器にスリーブ及びその両端に突出するシャフトが中空状態で保持されてマグネットロールが収容されていることを特徴とするマグネットロール収容容器の多段重ね構造体。
【請求項８】
前記中空状態で保持されたシャフトは、上段のマグネットロール収容容器のシャフト収容部の底面によって支持されていることを特徴とする請求項７記載のマグネットロール収容容器の多段重ね構造体。
【請求項９】
各マグネットロール収容容器において、スリーブが収容されるスリーブ収容部がマグネットロール毎に仕切り部により仕切られ、
下段のマグネットロール収容容器の前記仕切り部の上面が上段のマグネットロール収容容器のスリーブ収容部の底面の略中央部に当接されていることを特徴とする請求項７または８記載のマグネットロール収容容器の多段重ね構造体。
【請求項１０】
各スリーブ収容部の底面には、スリーブの中心線を挟んで両側にリブが突出形成されており、前記下段の仕切り部の上面は上段のスリーブ収容部の前記リブ間に入り込む形でスリーブ収容部の底面の略中央部に当接されていることを特徴とする請求項９記載のマグネットロール収容容器の多段重ね構造体。
【請求項１１】
前記仕切り部の上面とスリーブ収容部の底面には互いに係止する係止部が形成されており、マグネットロール収容容器を積み重ねた際にこれら係止部が係止されてマグネットロールの中心軸方向における移動が規制されていることを特徴とする請求項８から１０のいずれか１項記載のマグネットロール収容容器の多段重ね構造体。
【請求項１２】
前記マグネットロール収容容器の外周面に高さの異なる段差面が隣接して形成されており、前記反転により下段のマグネットロール収容容器における高さの高い段差面に上段のマグネットロール収容容器の高さの低い段差面が当接し、上段のマグネットロール収容容器が所定の高さに保持されることを特徴とする請求項７から１１のいずれか１項記載のマグネットロール収容容器の多段重ね構造体。
【発明の詳細な説明】
【技術分野】
【０００１】
本発明は、例えば複写機やレーザプリンタ等の現像ロールに用いられるマグネットロールを搬送したり保管する際に使用されるマグネットロール収容容器に関するものであり、さらにはその多段重ね構造体に関する。
【背景技術】
【０００２】
複写機やプリンタ等の感光ドラムに形成された静電潜像を可視化する現像ロールに用いられるマグネットロールは、例えばシャフトの周面にマグネットピースを貼り合わせ、その外側にアルミニウムやステンレス等からなる円筒状のスリーブを装着することにより構成されている。そして、現像に際しては、前記スリーブにより現像剤（トナー）を感光ドラム表面に搬送し、これを紙等に定着することで、静電潜像に応じた文字や画像等を可視化（印刷）する。
【０００３】
前記マグネットロールは、磁気を帯びていること、長尺で比較的重量が大きな製品であること、及びスリーブ表面の傷や汚れ等が画像に影響することから、その搬送や保存に際しては紙やフィルム、緩衝シート等で個別に包装し、さらに段ボール箱等の容器に箱詰めするというのが一般的である。ただし、このような梱包形態を採用した場合、製品を個別に包装する手間が増え、また容器の他に包装材も必要であるので、その処理の問題も発生する。
【０００４】
そこで、マグネットロールを個別に包装することなく収容可能とした搬送容器が提案されている（例えば、特許文献１等を参照）。特許文献１には、柔軟性を有する合成樹脂材料を用いてビーズ法型内発泡成形により製作され、複数のマグネットローラーを相互に間隔をあけて並列状に収容可能なマグネットローラー輸送容器であって、マグネットローラーの支軸部を保持する、上端を開放した上下方向に細長い保持溝を設け、保持溝の途中部にマグネットローラーの支軸部の直径よりも通路幅を狭くして、素材の弾性変形を利用して支軸部の通過を許容する狭隘部を一体的に形成し、保持溝の奥部に支軸が嵌合可能な嵌合受け部を一体的に形成したマグネットローラー輸送容器が開示されている。
【特許文献１】特開２００４−１８００９号公報
【発明の開示】
【発明が解決しようとする課題】
【０００５】
一般に、搬送容器としては、紙製の容器やプラスチックの真空成形品、射出成形品、ビーズ法発泡ポリスチレンの成形品、押出法発泡ポリオレフィンの加工品等が実用化されている。しかしながら、例えば厚さが厚いプラスチック製の容器では、剛性の点では十分であるが、製造コストを要し、かさばるため未使用時の保管や容器のみの搬送時に利便性に乏しいという問題がある。逆に、厚さが薄いものを選択すると、重量物に対して剛性が不足し、積み重ねることが難しいという問題がある。また、十分な保護機能を果たせず、マグネットロールに対して不用意に衝撃が加わったり、搬送中にマグネットロールを破損する等の問題が生ずるおそれもある。
【０００６】
したがって、マグネットロールをそのまま収容するに適した容器は、これまでほとんど見当たらず、特許文献１記載の輸送容器は、マグネットロールをそのまま収容し得る数少ない容器の一つである。特許文献１記載の輸送容器は、ビーズ法型内発泡成形により製作されるものであり、軽量であるという利点を有し、スリーブを中空に保持する構造を有するのでスリーブを確実に保護することができるという特徴を有する。また、素材の弾性変形を利用してシャフトを保持する保持構造を有し、マグネットロールの飛び出し防止も図られている。
【０００７】
しかしながら、前記特許文献１記載の容器は、発泡ポリスチレン等の発泡材料により形成されており、摩耗等により簡単に微粉が発生し、これがスリーブに付着して悪影響を及ぼすおそれがある。また、発泡材料は非常にかさばり、不使用時の利便性に乏しいという問題がある。さらに大きな問題として、前記シャフトの保持構造ではシャフトの掴み所がなく、マグネットロールの出し入れの際のハンドリングが悪いという問題がある。マグネットロールにおいては、スリーブ部分を掴むことは好ましくなく、その出し入れに際してはシャフトを掴む必要があるが、特許文献１記載の容器では、シャフトは溝内に入り込んでしまっており、簡単に取り出すことができない。
【０００８】
本発明は、このような従来の実情に鑑みて提案されたものであり、マグネットロールのスリーブ部分を確実に保護することができ、しかもシャフト部分を掴んでマグネットロールを簡単に取り出すことが可能なマグネットロール収容容器を提供することを目的とする。また、本発明は、積み重ねた場合に十分な強度を発揮し、重量物であっても破損することなくマグネットロール収容容器内に収容することが可能な多段重ね構造体を提供することを目的とする。
【課題を解決するための手段】
【０００９】
前述の目的を達成するために、本発明のマグネットロール収容容器は、樹脂材料からなる板材の成形品として構成され、スリーブ及びその両端に突出するシャフトを有するマグネットロールを収容するマグネットロール収容容器であって、前記シャフトを保持するシャフト保持部を有し、前記シャフトの少なくとも先端部分及びスリーブが中空状態で保持されることを特徴とする。
【００１０】
本発明のマグネットロール収容容器は、発泡材料ではなく樹脂製の板材の成形品として構成されている。したがって、発泡材料で形成した場合のように摩耗等によって微粉が発生することはない。また、軽量であり、かさばらず取り扱いが容易である。さらに、シャフトが中空状態で保持されているので、シャフトを掴んで簡単にマグネットロールの取り出しを行うことができる。
【００１１】
また、本発明のマグネットロール収容容器の多段重ね構造体は、樹脂材料からなる板材の成形品として構成されたマグネットロール収容容器が複数重ねられてなるマグネットロール収容容器の多段重ね構造体であって、同一形状のマグネットロール収容容器が面内方向において交互に１８０°反転して積み重ねられ、少なくとも下段のマグネットロール収容容器にスリーブ及びその両端に突出するシャフトが中空状態で保持されてマグネットロールが収容されていることを特徴とする。
【００１２】
各マグネットロール収容容器は同一形状を有するが、面内方向において交互に反転することで互いに補強し合う形で各部で突き当てられる。その結果、各マグネットロール収容容器の剛性が確保され、重量物であるマグネットロールを収容して積み重ねた場合にも、これを保持し得る十分な強度が確保される。
【発明の効果】
【００１３】
本発明のマグネットロール収容容器によれば、マグネットロールのスリーブ部分を確実に傷や汚れ等から保護することが可能であり、マグネットロールの出し入れもシャフトを掴んで簡単に行うことが可能である。また、本発明のマグネットロール収容容器においては、摩耗等によって微粉が発生することがなく、マグネットロールのスリーブ部分に悪影響を与えることもない。さらに、本発明のマグネットロール収容容器は、軽量で取り扱いの利便性に優れ、例えばマグネットロール未収容時には互いに密着した状態でコンパクトにまとめて片付けておくことができる。
【００１４】
また、本発明の多段重ね構造体によれば、重量物であるマグネットロールに衝撃を与えたり損傷を与えることなく十分な剛性をもってこれを収容することが可能である。したがって、例えばマグネットロールを複数且つ多段に積載して大量に搬送する際にも、安定した搬送を実現することが可能である。
【発明を実施するための最良の形態】
【００１５】
以下、本発明を適用したマグネットロール収容容器及びその多段重ね構造体の実施形態について、図面を参照して詳細に説明する。
【００１６】
（第１の実施形態）
先ず、本発明のマグネットロール収容容器に収容されるマグネットロール（現像ロール）の構造について説明すると、図１に示すように、マグネットロール１は、円筒形状のスリーブ２の中に磁石軸３を組み込むことにより構成されている。スリーブ２は、非磁性材料により形成されており、例えばアルミニウムやステンレス等の金属材料により形成されている。また、前記磁石軸３を収容するに足る長さの筒状体として形成されている。スリーブ２の具体的寸法例としては、外径２０ｍｍ、内径１８．８ｍｍ（厚さ０．６ｍｍ）、長さ２３０ｍｍ〜３２０ｍｍである。さらに、スリーブ２の内周面と、この中に収容される磁石軸３の外周面の間には、所定間隔の空隙が形成されている。
【００１７】
磁石軸３は、例えば金属製のシャフト４の周囲に複数の長尺状磁石５を配列し、接着固定することにより構成されている。各長尺状磁石５は、いずれも断面形状が略扇形であり、これらをシャフト４の周囲に貼り合わせることで、全体形状が円筒形の磁石体が構成されることになる。また、長尺磁石５は、シャフト４を嵌合できる内径をもつ円筒形状磁石を使用することもできる。
【００１８】
各長尺状磁石５は、バインダー（熱可塑性樹脂）と磁石粉末を含む混合物を押し出し成形、あるいは射出成形することにより形成されるものが多い。ここで、前記バインダーの種類は、特に限定されないが、具体的には、ポリアミド樹脂（ナイロン６、ナイロン１２等）や、ポリプロピレン、ポリエチレン等のポリオレフィン樹脂、ポリカーボネート樹脂等を用いることができる。磁石粉末としては、フェライト磁石粉末（例えば、Ｓｒ系フェライト粉末やＢａ系フェライト粉末等）や、希土類金属磁石粉末（例えば、ＳｍＣｏ系、ＮｄＦｅＢ系、ＳｍＦｅＮ系等）等を挙げることができる。これらの中から要求される特性に応じて選定すればよい。
【００１９】
長尺状磁石５は、それぞれ径方向に磁化されており、外周面側がＮ極、あるいはＳ極とされ、磁石軸３の外周面において、Ｎ極とＳ極が交互に配列されように貼り合わされている。これら長尺状磁石５は、それぞれ層規制極、搬送極、現像極、汲み上げ極、剥離極として機能し、スリーブ２の回転方向に所定の配列で取り付けられている。
【００２０】
シャフト４は、金属等の高強度材料により形成されており、周面に貼り付けられる長尺状磁石５の長さよりも長く、したがって、周面に前記長尺状磁石５を貼り付けた際に、その両端が露呈する形になっている。露呈したシャフト４の両端部は、前記スリーブ２の両端に設けられたフランジ６，７に対し、軸受け８，９を介して回転可能に挿入されている。なお、シャフト４の一端側はフランジ６を挿通し外方まで延在されているが、他端側はフランジ７に突き当てられ、このフランジ７にシャフト４を延長する如くシャフト部７ａが設けられている。
【００２１】
以上の構成を有するマグネットロール１を容器に収容する場合、スリーブ２が容器に対して非接触状態になるように中空状態で保持されることが望まれる。本実施形態のマグネットロール収容容器は、このようなマグネットロールの収容状態を実現するものである。
【００２２】
図２は、本実施形態のマグネットロール収容容器１０を示すものである。本実施形態のマグネットロール収容容器１０は、樹脂材料により形成される１枚の板材を真空成形したものであり、金型によって所定の形状に加工されている。マグネットロール収容容器１０の成形方法としては射出成形も考えられるが、射出成形では薄肉品や大型品の成形が難しく、大型の成形機や高価な金型が必要であるため、真空成形により成形することが好ましい。
【００２３】
前記樹脂材料としては、具体的にはポリプロピレン等のポリオレフィン系樹脂やポリスチレン樹脂、ポリエチレンテレフタレート等のポリエステル系樹脂等を使用することができる。これら樹脂は、安価であり厚みに対する汎用性も高く、簡単に成形することができるという利点を有する。その中においても、耐熱性、耐摩耗性等の点からみてポリプロピレンが好ましい。また、前記板材の厚さは０．５ｍｍ〜１．５ｍｍとすることが好ましい。
【００２４】
なお、マグネットロール収容容器１０は透明、あるいは半透明であることが好ましい。成形されたマグネットロール収容容器１０が透明または半透明であれば、収容されたマグネットロール１の収容状態を外部から確認することができ、また後述の積み重ねに際して位置合わせが容易になる。
【００２５】
次に、本実施形態のマグネットロール収容容器１０の形態上の特徴について説明すると、図２乃び図３に示すように、前記マグネットロール収容容器１０においては、収容されるマグネットロール１の中心軸方向において、両端外周壁１１，１２から所定距離を有する位置にマグネットロール１のシャフト４及びシャフト部７ａを保持するシャフト保持部１３、１４が形成されている。これらシャフト保持部１３，１４は、マグネットロール収容容器１０の内部空間をマグネットロール１の中心軸方向において仕切る隔壁として形成されており、シャフト保持部１３，１４間の空間がマグネットロール１のスリーブ２部分を収容する部分（スリーブ収容部１５）とされている。したがって、前記シャフト保持部１３，１４間の間隔は、マグネットロール１のスリーブ２の長さよりも若干大きく設定されている。
【００２６】
一方、シャフト保持部１３と外周壁１１の間、及びシャフト保持部１４と外周壁１２の間の距離は、前記シャフト４やシャフト部７ａを収容するに足る距離に設定されており、シャフト保持部１３と外周壁１１の間の空間、及びシャフト保持部１４と外周壁１２の間の空間が、それぞれシャフト収容部１６，１７とされている。これらシャフト収容部１６，１７は、前記シャフト４やシャフト部７ａの配列方向に連通する空間として構成されており、各シャフト４間やシャフト部７ａ間には遮るものがない。
【００２７】
また、前記スリーブ収容部１５は、各マグネットロール１毎に収容空間を仕切る形で仕切り部１８が形成されており、一対の仕切り部１８で挟まれた空間が各マグネットロール１のスリーブ収容部１５とされている。なお、最外部に位置するスリーブ収容部１５においては、マグネットロール１の中心軸方向と平行な外周壁１９、２０が一方の仕切り部の役割を果たしており、前記仕切り部１８は片側にのみ配置されている。したがって、本実施形態のマグネットロール収容容器１０では、前記仕切り部１８によって仕切られたスリーブ収容部１５の数だけマグネットロール１を収容することが可能であり、本例の場合、１０本のマグネットロール１を収容することが可能である。
【００２８】
前記シャフト保持部１３，１４には、それぞれシャフト４やシャフト部７ａが挿入されるシャフト保持凹部１３ａ，１４ａが形成されている。これらシャフト保持凹部１３ａ，１４ａは、前記仕切り部１８によって仕切られた各スリーブ収容部１５に対応して形成されており、各スリーブ収容部１５のほぼ中心位置に、且つスリーブ収容部１５の数だけ形成されている。前記シャフト保持凹部１３ａ，１４ａは、例えばＵ字形状に形成され、その切り欠き幅は前記シャフト４やシャフト部７ａの外径寸法とほぼ等しいか、あるいはシャフト４やシャフト部７ａの外径寸法より若干大きく設定されている。
【００２９】
以上が本実施形態のマグネットロール収容容器１０の基本構造であり、複数のマグネットロール１が収容可能とされている。図４（ａ）及び図４（ｂ）は、それぞれ図３（ａ）のａ−ａ線、あるいはｂ−ｂ線における断面を示すものであるが、これら図面においてはマグネットロール１の収容状態を示している。
【００３０】
マグネットロール１は、シャフト４の基端部（スリーブ２から突出するシャフト４の根元部分）近傍をシャフト保持部１３のシャフト保持凹部１３ａに挿入するとともに、シャフト部７ａの基端部（スリーブ２から突出するシャフト部７ａの根元部分）近傍をシャフト保持部１４のシャフト保持凹部１４ａに挿入することによりマグネットロール収容容器１０に収容される。この時、マグネットロール１のスリーブ２部分が前記スリーブ収容部１５に収容される形になるが、前記シャフト４やシャフト部７ａがシャフト保持部１３，１４によって支持されることにより、スリーブ２はスリーブ収容部１５の底面１５ａから離間した状態で保持され、中空状態で支持されることになる。スリーブ２は傷や汚れ等の影響を受けやすく、その表面には何も接触しないことが望まれる。前記スリーブ収容部１５においてスリーブ２を中空状態で収容すれば、マグネットロール収容容器１０がスリーブ２に接触することがなく、傷や汚れ等の発生を抑えることができる。
【００３１】
一方、前記シャフト４及びシャフト部７ａは、それぞれ基端部近傍がシャフト保持部１３，１４によって支持されているが、先端部分はシャフト保持部１３，１４から突出した形になっている。この突出した先端部分は、それぞれシャフト収容部１６，１７に収容される形になるが、これらシャフト収容部１６，１７はマグネットロール１の配列方向に連通する空間を形成する凹部として形成されている。したがって、前記シャフト４及びシャフト部７ａの先端部分もシャフト収容部１６，１７の底面１６ａ，１７ａから離間した状態で保持され、前記シャフト保持部１３，１４から十分に突出し、且つ中空状態で支持されることになる。
【００３２】
前記マグネットロール１のマグネットロール収容容器１０への収容及び取り出しに際しては、マグネットロール１のスリーブ２部分に触れることは好ましくない。前述のようにシャフト４及びシャフト部７ａが十分に突出し且つ中空状態で保持されるようにすることで、作業者は容易に前記シャフト４及びシャフト部７ａを掴んでマグネットロール１を出し入れすることが可能になる。
【００３３】
なお、前記シャフト４及びシャフト部７ａを掴んで作業を行うことを考えると、各シャフト４間の間隔及び各シャフト７ａ間の間隔が３ｃｍ以上となるように設定することが好ましい。シャフト４及びシャフト部７ａ間の間隔を３ｃｍ以上とすることで、これらシャフト４やシャフト部７ａを掴んで取り出す際に隣接するシャフト４やシャフト部７ａが邪魔にならず、円滑に作業を行うことが可能になる。
【００３４】
前述のマグネットロール収容容器１０は、単独でマグネットロール１を収容するための容器として利用することも可能であるが、例えば多段重ね構造体とすることで、大量のマグネットロール１を効率的に搬送することが可能になる。ただし、この場合、各段のマグネットロール収容容器１０にそれぞれマグネットロール１を収容すると、下段のマグネットロール収容容器１０には大きな荷重が加わることになる。本実施形態のマグネットロール収容容器１０は、１枚の樹脂製の板材を成形することにより形成されるものであるので、前記荷重に耐え得るようにするには、何らかの工夫が必要である。そこで、以下においては、耐荷重のためにマグネットロール収容容器１０に施された工夫について説明する。
【００３５】
図３（ａ）は前記マグネットロール収容容器１０の平面図であり、図３（ｂ）は前記マグネットロール収容容器１０の底面図である。マグネットロール収容容器１０には、マグネットロール１のシャフト４及びシャフト部７ａを保持するシャフト保持部１３，１４、さらには各スリーブ収容部１５を仕切る仕切り部１８が形成されていることは前述した通りである。ここで、前記スリーブ収容部１５は一定の間隔（ピッチｐ）で形成されているが、本実施形態のマグネットロール収容容器１０では、これらスリーブ収容部１５は図４（ｂ）において左右対称（図３においては上下対称）に形成されておらず、いずれか一方に若干片寄って形成されている。
【００３６】
すなわち、マグネットロール収容容器１０の長辺（マグネットロールの中心軸方向と平行な辺）の一方の外周壁１９から当該外周壁１９に最も近いスリーブ収容部１５の中心までの距離Ｌ１と、他方の外周壁２０から当該外周壁２０に最も近いスリーブ収容部１５の中心までの距離Ｌ２とが同じ距離に設定されているのではなく、異なる距離に設定されている。具体的には、Ｌ２＞Ｌ１であり、且つＬ２−Ｌ１＝ｐ×１／２に設定されている。このように設定することで、例えばマグネットロール収容容器１０を面内方向において１８０°反転（回転）させると、スリーブ収容部１５の配列が１／２ピッチ分ずれることになる。
【００３７】
また、前記スリーブ収容部１５の底面１５ａには、図３（ｂ）や図４（ｂ）に示すように、スリーブ収容部１５の中心線を挟んで両側に沿って２本の長尺状のリブ２１が形成されている。このリブ２１は、やはり板材の加工により底面側に突出する長尺状の凸部として形成されるもので、前記スリーブ収容部１５の底面１５ａを補強する役割を果たすと同時に、マグネットロール収容容器１０を積み重ねた際に位置決め手段としての役割も果たす。
【００３８】
さらに、マグネットロール収容容器１０の短辺（マグネットロールの中心軸方向と直交する辺）側の外周壁１１，１２及び長辺（マグネットロールの中心軸方向と平行な辺）側の外周壁１９，２０には、それぞれ外周支持部２２が複数設けられている。この外周支持部２２は、高さの異なる段差面２２ａ、２２ｂの組み合わせにより構成されており、段差面２２ａはマグネットロール収容容器１０の底面に対応する高さを有する。一方、段差面２２ｂは、好ましくはマグネットロール収容容器１０の高さ中心から上面までの間とし、例えばマグネットロール収容容器１０の高さのほぼ中間の高さとする。
【００３９】
この外周支持部２２においては、前記高さの異なる段差面２２ａ、２２ｂの配置が重要であり、対向する２辺で同じ配列とされている。例えば、短辺として対向する外周壁１１と外周壁１２においては、いずれも段差面２２ａが図中上側、段差面２２ｂが図中下側に配置されるように外周支持部２２が設置されている。同様に、長辺として対向する外周壁１９と外周壁２０においては、いずれも段差面２２ａが図中右側、段差面２２ｂが図中左側に配置されるように外周支持部２２が設置されている。このような配置とすることで、面内方向で１８０°反転された際に、各外周支持部２２において段差面２２ａと段差面２２ｂの位置関係が逆転する。なお、前記外周支持部２２は、多段重ね構造体としたときの安定性の観点から、各辺（外周壁１１，１２，１９，２０）に少なくとも２箇所以上設置されていることが好ましい。
【００４０】
図５は、本実施形態のマグネットロール収容容器１０の多段重ねの様子を示すものである。マグネットロール収容容器１０を多段重ねする場合、先ず、下段のマグネットロール収容容器１０Ａにマグネットロール１を収容する。マグネットロール１は仕切り部１８によって仕切られたスリーブ収容部１５にスリーブ２部分を収容し、シャフト４及びシャフト部７ａをシャフト保持部１３，１４によって保持した状態で収容される。下段のマグネットロール収容容器１０Ａにマグネットロール１を収容した後、この上に上段のマグネットロール収容容器１０Ｂを積み重ねるが、上段のマグネットロール収容容器１０Ｂは、下段のマグネットロール収容容器１０Ａに対して面内方向において１８０°反転させて積み重ねる。
【００４１】
図６は、マグネットロール収容容器１０を多段重ね（本例の場合、５段重ね）した状態を示すものである。この場合、１段目、３段目、５段目のマグネットロール収容容器１０Ａ，１０Ｃ，１０Ｅが同じ向きであり、２段目、４段目のマグネットロール収容容器１０Ｂ，１０Ｄが１８０°反転されている。ここで、例えばマグネットロール収容容器１０Ａとマグネットロール収容容器１０Ｂについては、これらの向きが同じであると、スリーブ収容部１５や仕切り部１８等が完全に重なり、例えば下段のマグネットロール収容容器１０Ａのスリーブ収容部１５に収容されたマグネットロール１のスリーブ２に上段のマグネットロール収容容器１０Ｂのスリーブ収容部１５の底面１５ａが接触してしまうことになる。
【００４２】
これに対して、上段のマグネットロール収容容器１０Ｂを１８０°反転させて積み重ねると、前述したようにスリーブ収容部１５の配列が半ピッチ分ずれることになり、図７に示すように、下段のマグネットロール収容容器１０Ａの仕切り部１８の上面が上段のマグネットロール収容容器１０Ｂのスリーブ収容部１５の底面１５ａに突き当てられてこれを支持する形になる。その結果、下段のスリーブ収容部１５においてマグネットロール１のスリーブ２を収容する空間が確保され、マグネットロール１のスリーブ２部分はマグネットロール収容容器１０Ａ，１０Ｂに接触することなく中空状態で支持される。また、前記仕切り部１８の上面がスリーブ収容部１５の底面１５ａに突き当てられる際、当該底面１５ａに形成されたリブ２１が位置決めのためのガイドの役割を果たし、これらリブ２１の間に前記仕切り部１８の上面を挿入する形で突き当てることで、下段の仕切り部１８と上段のスリーブ収容部１５とが確実に位置合わせされた状態で積み重ねることが可能である。さらに、前記リブ２１は、各スリーブ収容部１５の強度を補強する効果ももたらし、マグネットロール１が収容される領域において、耐荷重強度が十分に確保され、マグネットロール収容容器１０の潰れ等によるマグネットロール１の損傷を防止することが可能である。
【００４３】
前記下段の仕切り部１８と上段のスリーブ収容部１５との突き当てによりマグネットロール１が収容される領域における強度が確保されるが、さらに外周部分においても突き当て構造が実現され、下段のマグネットロール収容容器１０Ａの外周支持部２２で上段のマグネットロール収容容器１０Ｂの外周支持部２２を支持し、上段のマグネットロール収容容器１０Ｂを所定の高さに保持することが可能となっている。
【００４４】
図８は、下段のマグネットロール収容容器１０Ａに設けられた外周支持部２２と上段のマグネットロール収容容器１０Ｂに設けられた外周支持部２２の相対位置関係を示すものである。下段のマグネットロール収容容器１０Ａと上段のマグネットロール収容容器１０Ｂの向きが同じであると、図８（ａ）に示すように、各外周支持部２２において、段差面２２ａと段差面２２ｂの位置関係が同じとなり、段差面２２ａ同士及び段差面２２ｂ同士が対向することになる。この状態で積み重ねると下段のマグネットロール収容容器１０Ａと上段のマグネットロール収容容器１０Ｂとは密着して重なり合ってしまう。一方、下段のマグネットロール収容容器１０Ａに対して上段のマグネットロール収容容器１０Ｂの向きを１８０°反転させると、各外周支持部２２において段差面２２ａと段差面２２ｂの位置関係が逆転し、段差面２２ａと段差面２２ｂとが対向することなる。この状態で重ね合わせると、図８（ｂ）に示すように、下段の外周支持部２２の段差面２２ｂに上段の外周支持部２２の段差面２２ａが突き当たり、上段のマグネットロール収容容器１０Ｂは下段のマグネットロール収容容器１０Ａに対して段差面２２ｂの高さ位置に保持される。前記支持構造は外周壁１１，１２，１９，２０に設けられた全ての外周支持部２２で実現され、したがって上段のマグネットロール収容容器１０Ｂはその外周部全体が所定の高さに支持されることになる。
【００４５】
また、前記多段重ね構造体では、上段のマグネットロール収容容器１０Ｂによって下段のマグネットロール収容容器１０Ａに収容されるマグネットロール１のシャフト４あるいはシャフト部７ａを上から支持し、マグネットロール１の収容状態を一層安定化することができるという効果も得られる。前述の通り、マグネットロール１のシャフト４やシャフト部７ａの先端部分は、マグネットロール収容容器１０のシャフト収容部１６，１７に中空状態に支持される。この場合、マグネットロール１の支持部分はシャフト４やシャフト部７ａの基端部のみであり、出し入れに際してはシャフト４やシャフト部７ａが掴み易く好都合である。本実施形態のマグネットロール収容容器１０では、図９に示すように、下段のマグネットロール収容容器１０Ａに収容されたマグネットロール１のシャフト４やシャフト部７ａが上段のマグネットロール収容容器１０Ｂのシャフト収容部１６，１７の底面によって上から支持される形になり、マグネットロール１の収容状態がより一層安定化されている。
【００４６】
以上のように、本実施形態のマグネットロール収容容器１０では、多段重ね構造体とすることで剛性が上昇し、重量物であるマグネットロール１を多数収容してもこれに十分耐え得る強度を確保することが可能である。また、マグネットロール１の収容状態も安定化する。したがって、例えばマグネットロール１を複数且つ多段に積載して大量に搬送する際に、安定した搬送が可能となる。一方、マグネットロール収容容器１０にマグネットロール１を収容しない状態では、マグネットロール収容容器１０をそのまま重ねると形状が一致し、マグネットロール収容容器１０を構成する板材の厚みにて重ねることが可能になる。したがって、未使用時には多数のマグネットロール収容容器１０を重ねることでコンパクトに取り扱うことができ、保管や搬送に関して利便性が高い。
【００４７】
（第２の実施形態）
本実施形態のマグネットロール収容容器も、先の第１の実施形態のマグネットロール収容容器と基本構造は同じであり、シャフト保持部１３，１４やスリーブ収容部１５，仕切り部１８等の形状を変更した例である。
【００４８】
図１０乃至図１２に、本実施形態のマグネットロール収容容器３０の形状を示す。このマグネットロール収容容器３０においても、マグネットロール１のシャフト４やシャフト部７ａの基端部を保持するシャフト保持部３３，３４や、各スリーブ収容部３５を仕切る仕切り部３８が形成されている。さらに、各外周壁３１，３２，３９，４０には、やはり段差を有する段差面４２ａ，４２ｂから構成される外周支持部４２が全周に亘り形成されている。なお、前記外周支持部４２は、対向する２辺で同じ配列とされていることは先の第１の実施形態の場合と同様であり、面内方向で１８０°反転された際に、各外周支持部４２において段差面４２ａと段差面４２ｂの位置関係が逆転し、外周支持構造が実現される。
【００４９】
ここで、本実施形態のマグネットロール収容容器３０では、前記シャフト保持部３３，３４の形状が改良されており、シャフト４やシャフト部７ａが挿入されるシャフト保持凹部３３ａ，３４ａが形成されるとともに、その入り口側の寸法を拡大する形でテーパ面３３ｂ，３４ｂが形成されている。これらテーパ面３３ｂ，３４ｂを形成することで、シャフト４やシャフト部７ａの挿入をより円滑に行うことが可能である。
【００５０】
前記スリーブ収容部３５や仕切り部３８は、先の実施形態と同様、図１１において左右非対称（図１０において上下非対称）に半ピッチ分ずれた状態で形成されており、１８０°反転することによりスリーブ収容部３５の底面３５ａに仕切り部３８の上面が突き当てられる。スリーブ収容部３５の底面３５ａは、先の実施形態ではリブを設けることで強度を確保するようにしたが、本実施形態では、一部膨出して円弧面部３５ｂが形成され、強度を確保するようにしている。また、仕切り部３８の上面には凸部３８ａが形成されており、仕切り部３８の上面がスリーブ収容部３５の底面３５ａに突き当てられた際に、当該凸部３８ａが前記円弧面部３５ｂの端部に係止される。すなわち、前記凸部３８ａと円弧面部３５ｂの端部とがそれぞれ係止部として機能し、これらを係止することで、下段のマグネットロール収容容器１０と上段のマグネットロール収容容器１０とがマグネットロール１の中心軸方向において位置規制され、位置ズレを起こすことがない。
【００５１】
本実施形態のマグネットロール収容容器３０においても、図１２に示すように、マグネットロール１のシャフト４及びシャフト部７ａの基端部がシャフト保持部３３，３４によって保持され、シャフト４，シャフト部７ａの先端部分やスリーブ２部分が中空状態で保持される。
【００５２】
図１３及び図１４は、前記マグネットロール収容容器３０の多段重ね構造体を示すものである。本実施形態においても、下段のマグネットロール収容容器３０と上段のマグネットロール収容容器３０とでスリーブ収容部３５の位置が半ピッチ分ずれ、マグネットロール１のスリーブ２部分を収容する空間が確保される。この時、下段のマグネットロール収容容器３０の仕切り部３８上には上段のマグネットロール収容容器３０のスリーブ収容部３５の円弧面部３５ｂが当接し、高い強度をもって積み重ねられる。また、下段のマグネットロール収容容器３０に収容されたマグネットロール１のシャフト４やシャフト部７ａの先端部分は、上段のマグネットロール収容容器３０のシャフト収容部３６，３７の底面３６ａ，３７ａによって支持され、安定な収容状態が実現される。
【図面の簡単な説明】
【００５３】
【図１】マグネットロールの一構成例を示す概略断面図である。
【図２】第１の実施形態のマグネットロール収容容器の概略斜視図である。
【図３】（ａ）は第１の実施形態のマグネットロール収容容器の平面図であり、（ｂ）は底面図である。
【図４】（ａ）は図３（ａ）のａ−ａ線における断面図であり、（ｂ）は図３（ａ）のｂ−ｂ線における断面図であり、いずれもマグネットロールを収容した状態を示す。
【図５】第１の実施形態のマグネットロール収容容器の多段重ねの様子を示す分解斜視図である。
【図６】多段重ね状態を正面から見た模式的な図である。
【図７】スリーブ収容部と仕切り部の突き当て状態を示す要部拡大断面図である。
【図８】外周壁に設けられた外周支持部を示す要部概略斜視図であり、（ａ）は下段と上段の向きが同じ場合、（ｂ）は上段を面内方向に１８０°反転した場合である。
【図９】２段重ね状態を側面から見た模式的な図面である。
【図１０】第２の実施形態のマグネットロール収容容器の平面図である。
【図１１】図１０（ａ）のｘ−ｘ線における断面図である。
【図１２】図１０（ａ）のｙ−ｙ線における断面図である。
【図１３】多段重ね構造体をマグネットロールの中心軸方向から見た模式的な図である。
【図１４】多段重ね構造体をマグネットロールの中心軸と直交する方向から見た模式的な図である。
【符号の説明】
【００５４】
１  マグネットロール、２  スリーブ、４  シャフト、７ａ  シャフト部、１０，３０  マグネットロール収容容器、１１、１２，１９，２０，３１，３２，３９，４０  外周壁、１３，１４，３３，３４  シャフト保持部、１３ａ，１４ａ，３３ａ，３４ａ  シャフト保持凹部、１５，３５  スリーブ収容部、１５ａ，３５ａ  底面、３５ｂ  円弧面部、１６，１７，３６，３７  シャフト収容部、１８，３８  仕切り部、２１  リブ、２２，４２  外周支持部、２２ａ，２２ｂ，４２ａ，４２ｂ  段差面
【図１】
2007269345.tif 000003
【図２】
2007269345.tif 000004
【図３】
2007269345.tif 000005
【図４】
2007269345.tif 000006
【図５】
2007269345.tif 000007
【図６】
2007269345.tif 000008
【図７】
2007269345.tif 000009
【図８】
2007269345.tif 000010
【図９】
2007269345.tif 000011
【図１０】
2007269345.tif 000012
【図１１】
2007269345.tif 000013
【図１２】
2007269345.tif 000014
【図１３】
2007269345.tif 000015
【図１４】
2007269345.tif 000016